(57)【要約】【課題】  ２つの開口部を互いに隣り合うように内向きに直交させて備えさせるような場合の開き戸の開き方向に関する制限を排除することができる建物等における開口部開閉構造を提供する。【解決手段】  ２つの開口部５，６が互いに隣り合うように内向きに直交して設けられると共に、両開口部５，６を開閉する共通の開き戸７が設けられ、該開き戸７でいずれか一方の開口部５を閉じることによりもう一方の開口部６が開いた状態となり、開き戸を９０°回動し該もう一方の開口部６を閉じることにより前記一方の開口部５が開いた状態となるようになされている。【選択図】      図１
2005068947.tif 000002
【特許請求の範囲】
【請求項１】
２つの開口部が互いに隣り合うように内向きに直交して設けられると共に、両開口部を開閉する共通の開き戸が設けられ、該開き戸でいずれか一方の開口部を閉じることによりもう一方の開口部が開いた状態となり、開き戸を９０°回動し該もう一方の開口部を閉じることにより前記一方の開口部が開いた状態となるようになされていることを特徴とする建物等における開口部開閉構造。
【発明の詳細な説明】
【技術分野】
【０００１】
本発明は、建物等における開口部開閉構造に関する。
【背景技術】
【０００２】
例えば、住宅等の建物において、２つの出入り用開口部を互いに隣り合うように内向きに直交させて備えさせることが、間取りを計画していく上で必要となる場合があり、そのような場合に、開口部ごとに開き戸を設置したのでは、開き戸が開き方向によっては互いに干渉してしまうことから、開き戸の開き方向を互いに干渉しない不本意な特定方向に決めなければならない場合を生じることがある。
【発明の開示】
【発明が解決しようとする課題】
【０００３】
本発明は、上記のような問題点に鑑み、２つの開口部を互いに隣り合うように内向きに直交させて備えさせるような場合の開き戸の開き方向に関する制限を排除することができる建物等における開口部開閉構造を提供することを課題とする。
【課題を解決するための手段】
【０００４】
上記の課題は、２つの開口部が互いに隣り合うように内向きに直交して設けられると共に、両開口部を開閉する共通の開き戸が設けられ、該開き戸でいずれか一方の開口部を閉じることによりもう一方の開口部が開いた状態となり、開き戸を９０°回動し該もう一方の開口部を閉じることにより前記一方の開口部が開いた状態となるようになされていることを特徴とする建物等における開口部開閉構造によって解決される。
【０００５】
この開閉構造では、互いに隣り合うように内向きに直交して設けられた２つの開口部を一つの共通開き戸で開閉するようになされているので、各開口部にそれぞれ開き戸を設けたなら開き戸同士が干渉してしまう方向に開くように開き戸を設けても、開き戸は一つであるから、開き戸同士が干渉してしまうということがなく、二つの開き戸を用いたならば生じる開き戸の開き方向に関する制限を本発明の開閉構造を採用することによってなくすことができる。
【０００６】
しかも、２つの開口部が一つの開き戸で開閉される構造であるから、使用する建具の数を減らすことができ、スッキリとした開口部を実現することができると共に、建具のコストを低く抑えることができ、加えて、開き戸の動きも９０°の範囲に制限されるから、開き戸を見苦しくない体裁良好な設置状態に設置することができる。
【０００７】
なお、本発明の開口部開閉構造は、一方の開口部を開き戸で閉じると、もう一方の開口部が開いた状態となるものであるが、そのような開閉状態が許容される開口部は、建物等において各所に見出すことができ、本発明構造が建物等において有効活用されうるものであることはいうまでもない。
【発明の効果】
【０００８】
本発明は、以上のとおりのものであるから、２つの出入り用開口部を互いに隣り合うように内向きに直交させて備えさせるような場合の開き戸の開き方向に関する制限を排除することができる。
【発明を実施するための最良の形態】
【０００９】
次に、本発明の実施最良形態を図面に基づいて説明する。
【００１０】
図１に示す実施形態の開口部開閉構造において、住宅等の建物内で用いられたもので、１は第１室、２は第２室、３は第３室であり、これら室１，２，３は間仕切り壁４で仕切られ、第１室１と第２室２とは第１開口部５で行き来できるよう連通されると共に、第１室１と第３室３とは第２開口部６で行き来できるよう連通されている。
【００１１】
そして、第１、第２の開口部５，６は、互いに隣り合うように内向きに直交して設けられ、両開口部５，６を開閉する共通の開き戸７が、枢軸を両開口部５，６間に位置させるようにして設置され、図２（イ）に示すように、開き戸７で第１開口部５を閉じることにより第２開口部６が開いた状態となり、その状態から、開き戸７を９０°回動し、図２（ロ）に示すように、第２開口部を閉じることにより第１開口部５が開いた状態となるようになされている。
【００１２】
本実施形態では、開き戸７の設置のため、図１に示すように、各開口部５，６には、それらの隣り合う側において横断面Ｌ字形の共通の側枠８が各辺の内面側を開口部５，６に向けるようにして設置されると共に、隣り合う側とは反対の側に、戸当たり９，９のに備えられた側枠１０，１０が設置されている。そして、Ｌ字形側枠８内に開き戸７の枢軸側が設置されると共に、開き戸７の枢軸側の辺１１は横断面半円状につくられ、開き戸７の枢軸側の辺１１をＬ字形側枠８内に近接配置しても開き戸７の回動が許容されるようになされて、いずれの開口部５，６を開き戸７で閉じた状態においても開口部回りの体裁が良好なものになるようにつくられている。また、横断面Ｌ字形の共通側枠８の採用により、各開口部への建具枠の設置を容易にすることができる。なお、開き戸７は、例えば、上枠付き、下枠無しで、フロアーヒンジなどによって取り付けられる。
【００１３】
上記の開閉構造では、互いに隣り合うように内向きに直交して設けられた第１，第２の開口部５，６を一つの共通開き戸７で開閉するようになされているので、各開口部５，６にそれぞれ開き戸を設けたなら開き戸同士が干渉してしまう方向に開くように開き戸７を設けても、開き戸７は一つであるから、開き戸同士が干渉してしまうということがなく、二つの開き戸を用いたならば生じる開き戸の開き方向に関する制限を本発明の開閉構造を採用することでなくすことができる。
【００１４】
しかも、２つの開口部５，６が一つの開き戸７で開閉される構造であるから、使用する建具の数を減らせ、第１，第２の開口部５，６付近をスッキリとしたものにすることができる。また、開き戸７の動きも９０°の範囲に制限されることで、例えば、上記のようなＬ字形側枠８を用いることによって開き戸７を見苦しくない体裁良好な設置状態に設置することができる。
【００１５】
以上に、本発明の実施形態を示したが、本発明はこれに限られるものではなく、発明思想を逸脱しない範囲で各種の変更が可能である。例えば、上記の実施形態では、建物内の室と室とを連通する開口部に適用した場合を示しているが、建物の内部と屋外とを連通する開口部に適用することも可能である。また、上記の実施形態では、開口部が出入り用開口部である場合を示しているが、出入り用ではない例えば腰高窓などによる開口部であってもよい。また、本発明の開閉構造は、必ずしも建物への適用に限られるものではなく、種々の用途に用いることができるものである。
【図面の簡単な説明】
【００１６】
【図１】実施形態の開口部開閉構造を示す平面断面図である。
【図２】図（イ）（ロ）はそれぞれ使用状態を示す平面断面図である。
【符号の説明】
【００１７】
５…第１開口部
６…第２開口部
７…開き戸
【図１】
2005068947.tif 000003
【図２】
2005068947.tif 000004